(57)【要約】【課題】操作が盗み見られたとしても全ての認証用データが盗まれることがない秘匿性を高めた入力装置および入力方法を提供する。【解決手段】キーパッド１０に振動子１２を設け、入力キー１１を押下してキーデータ１００が入力されると、振動子駆動部３０により振動子１２を振動させて入力されたことを通知する。更に、入力キー１１を押し続けると、同一のキーデータ１０１が連続して入力され、振動子１２の振動回数によりその入力数を知ることができるため、認証操作の秘匿性が向上する。【選択図】　図１
2004046548.tif 000002
【特許請求の範囲】
【請求項１】
キーの押下によりキーデータの入力を行う際に、あるキーの押下状態が所定の時間継続されると、その時間内に所定数のキーデータの入力を行う入力手段と、
前記キーデータの入力回数を振動により通知する状態通知手段と
を具備したことを特徴とする入力装置。
【請求項２】
前記入力手段によりキーデータの入力を行う間隔は、ランダムであることを特徴とする請求項１記載の入力装置。
【請求項３】
キーの押下によりキーデータの入力を行う際に、あるキーの押下状態が所定の時間継続されると、その時間内で所定回数の振動を通知する状態通知手段と、
前記キーの押下が解除されると、その時間内での振動回数に従って、所定のキーデータが選択され、キーデータとして入力される入力手段と
を具備したことを特徴とする入力装置。
【請求項４】
前記状態通知手段は状態を所定の振動パターンにより通知し、前記入力手段により選択肢の番号や可否応答の入力を行うことを特徴とする請求項１または請求項３記載の入力装置。
【請求項５】
キーの押下によるキーデータの入力に際し、
あるキーの押下状態が所定の時間継続されると、その時間内に所定数の前記キーデータを入力し、
前記キーデータの入力回数を振動により通知する
ことを特徴とする入力方法。
【請求項６】
前記キーデータがランダムな時間間隔で入力されることを特徴とする請求項５記載の入力方法。
【請求項７】
キーの押下によるキーデータの入力に際し、
あるキーの押下状態が所定の時間継続されると、その時間内で所定の回数の振動が通知され、
前記キーの押下が解除されると、その時間内での振動回数に従って、所定のキーデータが選択され、キーデータとして入力されることを特徴とする入力方法。
【請求項８】
所定の振動パターンにより状態を通知し、前記パターンで示された選択肢の番号や可否応答の入力を行うことを特徴とする請求項５または請求項７記載の入力方法。
【発明の詳細な説明】
【０００１】
【発明の属する技術分野】
本発明は、通信機器や情報処理装置等に用いられる入力装置に関し、特に情報の秘匿性が必要な入力装置および入力方法に関する。
【０００２】
【従来の技術】
一般に通信機器や情報処理装置における認証方法は、キーや画面上のタッチパネルを操作して暗証番号を入力し、その暗証番号と予め登録した番号とが一致するか否かを比較チェックすることによりで行われている。この場合、キー等の入力操作が確実に行われた事を確認する手段として、表示画面に表示された内容により確認する方法や、入力された事を音などで通知し、この音を聞いて確認する方法が用いられている。入力が行われたことを触覚により通知する技術として特願平１１−２１３４２号公報がある。
【０００３】
前記公報においては、入力が行われたことを振動により操作者に確認通知する技術が開示されている。
【０００４】
しかしながら、従来のキー操作による認証方法では、キー操作を他の人に盗み見られることで認証用データを知られる可能性があり、また生体情報などを用いた入力方法ではコストがかかると言う問題があった。
【０００５】
【発明が解決しようとする課題】
従来の認証データの入力方法では、キー操作を他の人に盗み見られることで認証用データを知られてしまうと言う問題があった。
【０００６】
本発明は、上記問題を解決するためになされたもので、キー操作に加え振動等の触覚により感知できる手段により入力回数などを通知することにより、操作が盗み見られたとしても全ての認証用データが盗まれることがない秘匿性を高めた入力装置および入力方法を提供することを目的とする。
【０００７】
【課題を解決するための手段】
前記目的を達成するために本発明の入力装置は、キーの押下によりキーデータの入力を行う際に、あるキーの押下状態が所定の時間継続されると、その時間内に所定数のキーデータの入力を行う入力手段と、前記キーデータの入力回数を振動により通知する状態通知手段とを具備したことを特徴とする。
【０００８】
本発明によれば、認証用データの入力はキーを押し続けることで繰り返し入力され、入力されたことが振動などの手段により通知されるので、所定の回数入力させることにより、キー操作だけでは分からない認証データを入力することができ、入力データの秘匿性が向上する。
【０００９】
【発明の実施の形態】
以下、本発明の第１の実施の形態について図面を参照して説明する。
【００１０】
図１は、本発明の第１の実施の形態におけるキーパッドの構成を示した図である。図１において１０はキーパッド、１１は０〜９、＊、＃等の複数の入力キー、１２はキーパット１０に内蔵された振動子、１３は振動子１２の振動を伝える支持フレーム、２０は入力キー１１のキー入力制御部、３０は振動子１２を駆動する振動子駆動部である。
【００１１】
次に、上述した第１の実施の形態の動作を説明する。キー入力制御部２０は、キーパッド１０の入力キー１１が押下されたことをスキャン信号１００により検知し、キーデータ１０１を図示しない制御部等に送信すると共に、入力キー１１からデータが入力されたことをデータ出力信号１０２により振動子駆動部３０に通知する。また、キーパッド１０の入力キー１１を所定の時間以上押し続けると、キー入力制御部２０から所定の時間毎にキーデータ１０１が送信され、データ出力信号１０２が振動子駆動部３０に送信される。振動子駆動部３０は、キー入力制御部２０からのデータ出力信号１０２を受信すると、所定の時間だけ駆動信号１０３を出力して振動子１２を振動させ、その結果、支持フレーム１３を介して操作者に入力操作が行われたことを振動によって伝える。
【００１２】
図２は、本発明の第１の実施の形態の動作を示したフローチャートである。キー入力制御部２０は、入力キー１１が押下されるとキーデータ１０１を図示しない制御部に送信する（ステップＳ５０）。また、キー入力制御部２０は、入力キー１１が押下されるとデータ出力信号１０２を振動子駆動部３０に送信する（ステップＳ５０）。振動子駆動部３０は、キー入力制御部２０からのデータ出力信号１０２を受信するとキーパッド１０に内蔵される振動子２０を所定の時間振動させる（ステップＳ５１）。次にキー入力制御部２０は、入力キー１１が離されたか否か判断し（ステップＳ５２）、入力キー１１が離されると（ステップＳ５２のＹＥＳ）キー入力は終了する。
【００１３】
一方、キー入力制御部２０は、入力キー１１が押し続けられると（ステップＳ５２のＮＯ）、キーデータ１０１を制御部に送信してから所定の時間経過したか否かを判断し（ステップＳ５３）、所定の時間が経過すると（ステップＳ５３のＹＥＳ）ステップＳ５０に戻り、再度キーデータ１０１を制御部に送信する。また、キー入力制御部２０は、キーデータ１０１を制御部に送信してから所定の時間を経過していない場合（ステップＳ５３のＮＯ）、ステップＳ５２に戻り入力キー１１が離されたか否かの判断を行う。
【００１４】
図３は、本発明の第１の実施の形態における入力キー１１の操作とキーデータ１０１とデータ出力信号１０２と振動子１２の振動の関係を示した図である。
【００１５】
以上述べたように、本発明の第１の実施の形態においては、入力キー１１が押下されると、キーデータ１０１の送信が行われると共に、データ出力信号１０２に基づき振動子駆動部３０が駆動され振動子１２を振動させることにより、キーデータが入力されたことが通知される。
【００１６】
更に、入力キー１１を押し続けることによりキーデータ１０１の送信と振動子１２の振動が繰り返し行われる。つまり、操作者は認証データ中に同一データが連続するときに、入力キー１１を押し続けて振動の回数を数え、その振動数が所定数に達したときに入力キー１１を離すことにより、所定の数のキーデータを入力することができる。図３の例では、同じデータを３回入力したことを示している。従って、キー操作が盗み見られてもキー操作から入力データを推測することが困難なため、入力データの秘匿性を向上させることができる。
【００１７】
次に、本発明の第２の実施の形態について説明する。
【００１８】
本発明の第２の実施の形態においては、入力キー１１を押し続けた時に、ランダムな時間間隔でキーデータ１０１が送信され、同時に振動子駆動部３０を駆動して振動子１２を振動させることによりキーデータが入力されたことが操作者に通知される。つまり、入力キー１１を押し続ける時間から入力回数が推定されることが防止できる。その他の動作については本発明の第１の実施の形態と同様であるので、説明を省略する。
【００１９】
以上述べたように、本発明の第２の実施の形態においては、入力キー１１を押し続けたときに、ランダムな時間間隔でキーデータが入力される。従って、キー操作を盗み見られ、入力キー１１を押し続けて同一データを入力していることまで推測できたとしても、入力キー１１を押し続けた時間から入力回数を推定することができないため、入力データの秘匿性を向上させることができる。
【００２０】
次に、本発明の第３の実施の形態について説明する。
【００２１】
図１は、本発明の第３の実施の形態におけるキーパッドの構成を示した図である。図１において１０４は振動制御信号である。その他は第１の実施の形態で示した構成と同様であるので説明を省略する。
【００２２】
本発明の第３の実施の形態においては、キーパッド１０に内蔵される振動子１２を駆動する振動子駆動部３０を図示しない制御部などの外部からの振動制御信号１０４により所定のパターンで振動させるようにしたものである。従って、認証処理は、予め決められた振動制御信号１０４の情報に従って振動子１２を振動させることが出来る。操作者は、振動のパターンにより状況を判断し、入力キー１１を操作して、選択肢の選択や可否応答を入力することができる。その他の動作については本発明の第１の実施の形態と同様であるので、説明を省略する。
【００２３】
以上述べたように本発明の第３の実施の形態においては、認証の手続きを振動を介して対話的に行うことができるため、操作を盗み見られても内容を知られることがないため、入力データの秘匿性を向上させることができる。
【００２４】
次に、本発明の第４の実施の形態について説明する。
【００２５】
図４は、本発明の第４の実施の形態のキーパッドを示した図である。図１との違いは入力キー１１が一つのキー１４になっていることである。続いて、本発明の第４の実施の形態の動作について説明する。
【００２６】
キー入力制御部２０は、入力キー１４が押下されるとキーデータ１０１を図示しない制御部に送信すると共に、データ出力信号１０２を振動子駆動部３０に送信する。振動子駆動部３０は、キー入力制御部２０からのデータ出力信号１０２を受信すると、振動子１２を所定の時間だけ振動させる。キー入力制御部２０は、入力キー１４が所定の時間押下されると、再度データ出力信号１０２を振動子駆動部３０に送信し、振動子１２を振動させる。キー入力制御部２０は、上記動作を入力キー１４の押下が解除されるまで行う。キー入力制御部２０は、入力キー１４の押下が解除されると、データ出力信号１０２により振動子１２を振動させた回数に従い所定の入力データを選択し、キーデータ１０１として送信する。その他の動作内容については、本発明の第１の実施の形態と同様であるため、説明を省略する。
【００２７】
以上述べたように本発明の第４の実施の形態では、入力キーが一つであるため、操作が簡単になり、視覚障害を持った方でも操作できると共に、入力データの秘匿性を向上させることができる。
【００２８】
図５は、本発明の実施の形態を適用したＡＴＭ（Ａｕｔｏｍａｔｉｃ　Ｔｅｌｌｅｒ　Ｍａｃｈｉｎｅ）の外観を示した図である。図５において、４０はＡＴＭ本体、４１はＡＴＭ本体４０に設けられたタッチスクリーン、４２はキーパッドである。このＡＴＭ本体４０には、タッチスクリーン４１を利用した入力手段の他に、本発明を適用したキーパッド４２が備えられており、タッチスクリーン４１による操作が困難な人でもキーパッド４２による操作を可能にしている。
【００２９】
【発明の効果】
以上述べたように、本発明によれば、入力データの秘匿性を向上させることができる。
【図面の簡単な説明】
【図１】本発明の第１の実施の形態におけるキーパッドの図。
【図２】本発明の第１の実施の形態の動作を示したフローチャート。
【図３】本発明の第１の実施の形態における信号と振動の関係を示した図。
【図４】本発明の実施の形態におけるキーを一つにしたキーパッドの図。
【図５】本発明の実施の形態を適用したＡＴＭの外観図。
【符号の説明】
１０　キーパッド
２０　キー入力制御部
３０　振動子駆動部
１１　入力キー
１２　振動子
１３　支持フレーム
１００　スキャン信号
１０１　キーデータ
１０２　データ出力信号
１０３　駆動信号
１０４　振動制御信号
【図１】
2004046548.tif 000003
【図２】
2004046548.tif 000004
【図３】
2004046548.tif 000005
【図４】
2004046548.tif 000006
【図５】
2004046548.tif 000007